(57)【特許請求の範囲】
【請求項１】
四角形状のティッシュペーパ載置台および四角形状の底板と、これらティッシュペーパ載置台および底板を上下方向に互いに連結する脚部と、を有し、ティッシュペーパボックス内に収納可能に構成されるティッシュペーパ押上装置であって、
ティッシュペーパ載置台を昇降させる昇降機構と、
前記脚部を係止する横架材と、
を有し、
前記ティッシュペーパ載置台は、側面に一体成形された係止板を有し、
前記昇降機構は、回転部材とボルト及びナットを有し、
前記回転部材は、角丸長方形状の穿孔を有し、
前記回転部材は、部材の一端が前記底板の側面の１箇所とねじにより螺合し、
前記回転部材は、部材の他端が前記穿孔を介して前記係止板と前記ボルト及びナットにより締着可能に結合し、
前記回転部材は、部材の一端を中心に回転することで前記ティッシュペーパ載置台を昇降させる、
ティッシュペーパ押上装置。
【請求項２】
請求項１のティッシュペーパ押上装置と、閉曲線状の弾性体とを有するティッシュペーパ押上システムであって、
前記弾性体は、４箇所の補強部材を有し、
前記弾性体は、前記ティッシュペーパ押上装置を挿入したティッシュペーパボックスの外周を巻き付けて前記ティッシュペーパボックスの開口部の開口を防止する、
ティッシュペーパ押上システム。
【請求項３】
四角形状のティッシュペーパ載置台および四角形状の底板と、これらティッシュペーパ載置台および底板を上下方向に互いに連結する脚部と、を有し、ティッシュペーパボックス内に収納可能に構成されるティッシュペーパ押上装置によるティッシュペーパ押上方法であって、
前記ティッシュペーパ押上装置は、ティッシュペーパ載置台を昇降させる昇降機構と、前記脚部を係止する横架材と、を有し、
前記ティッシュペーパ載置台は、側面に一体成形された係止板を有し、
前記昇降機構は、回転部材とボルト及びナットを有し、
前記回転部材は、角丸長方形状の穿孔を有し、
前記回転部材は、部材の一端が前記底板の側面の１箇所とねじにより螺合し、
前記回転部材は、部材の他端が前記穿孔を介して前記係止板と前記ボルト及びナットにより締着可能に結合し、
前記回転部材は、部材の一端を中心に回転することで前記ティッシュペーパ載置台を昇降させる工程を有する、
ティッシュペーパ押上方法。
【請求項４】
請求項３のティッシュペーパ押上方法であって、
請求項３に記載のティッシュペーパ押上装置と、閉曲線状の弾性体とを有するティッシュペーパ押上方法であって、
前記弾性体は、４箇所の補強部材を有し、
前記弾性体は、前記ティッシュペーパ押上装置を挿入したティッシュペーパボックスの外周を巻き付けて前記ティッシュペーパボックスの開口部の開口を防止する工程を有する、
ティッシュペーパ押上方法。
【発明の詳細な説明】
【技術分野】
【０００１】
本発明は、ティッシュペーパ押上装置およびティッシュペーパ押上方法に関する。
【背景技術】
【０００２】
ティッシュペーパは長矩形の箱体内に積層状に多数枚収納されその上壁に設けたペーパ引出口から順次ペーパを引出しながら、使用される。そして、例えば１枚を引出した場合には次のペーパの紙片が引出し口から突出して、その突出片をつまみながら順次ペーパを使用してゆくものである。
【０００３】
したがって、ティッシュペーパが残り少なくなると当該ペーパを引出しても次のペーパの突出片が引出口から突出することが出来ず、このため箱の底に残ったティッシュペーパが非常に取りにくくなり不便を強いられる欠点があった。
【先行技術文献】
【特許文献】
【０００４】
【特許文献１】特開平６−８０１７４号公報
【発明の概要】
【発明が解決しようとする課題】
【０００５】
特許文献１に記載された技術による装置は、箱体内に収納されたティッシュペーパ全体を自動的に下方から押し上げるためにX字状に組み合わされた主脚と副脚を有する押上装置が開示されている。しかしながら上記装置は、ボルトやナットで主脚と副脚を係止するものではない。また上記装置は、ゴムにより自動的に下方から押し上げるため、押上高さを所望の位置で保持できない。
【０００６】
本発明の目的は、回転部材を部材の一端を中心に回転させることで載置台を昇降させ、ボルト及びナットの締着により押上高さを所望の位置で保持可能なティッシュペーパ押上装置を提供することである。
【課題を解決するための手段】
【０００７】
本願において開示される発明のうち、代表的なものの概要を簡単に説明すれば、次の通りである。
【０００８】
本発明の一実施の形態のティッシュペーパ押上装置は、ティッシュペーパボックス内に収納可能に構成され、ティッシュペーパ載置台と、底板と、X字状に組み合わせられティッシュペーパ載置台を昇降可能に支持する脚部と、昇降機構と、脚部を係止する横架材を有したティッシュペーパ押上装置であって、前記ティッシュペーパ載置台は、側面に一体成形された係止板を含む。また、前記昇降機構は、部材の一端を中心に回転することで前記ティッシュペーパ載置台を昇降させる回転部材を含む。また、前記昇降機構は、前記回転部材と前記係止板を螺嵌するボルト及びナットを含む。また、前記回転部材は、部材の一端が前記底板の側面の１箇所にねじにより螺嵌し、前記回転部材は、部材の他の一端が前記係止板に前記ボルト及びナットにより締着可能に結合する。
【発明の効果】
【０００９】
本願において開示される発明のうち、代表的なものによって得られる効果を簡単に説明すれば以下のとおりである。
【００１０】
本発明の代表的な実施の形態によれば、回転部材を部材の一端を中心に回転させることで載置台を昇降させ、ボルト及びナットの締着により押上高さを所望の位置で保持可能なティッシュペーパ押上装置を提供できる。
【図面の簡単な説明】
【００１１】
【図１】本発明の実施の形態のティッシュペーパ押上装置の構成の一例を示す斜視図である。
【図２】本発明の実施の形態のティッシュペーパ押上装置におけるボルト及びナットが締着する様子を示す模式図である。
【図３】本発明の実施の形態のティッシュペーパ押上装置におけるティッシュペーパ載置台が昇降する様子を示す模式図である。
【図４】本発明の実施の形態のティッシュペーパ押上装置とティッシュペーパボックスとの関係を示す模式図である。
【図５】本発明の実施の形態のティッシュペーパ押上装置がティッシュペーパボックスに挿入される様子を示す模式図である。
【図６】本発明の実施の形態のティッシュペーパ押上システムにおける閉曲線状の弾性体の様子を示す模式図である。
【図７】本発明の実施の形態のティッシュペーパ押上システムにおける閉曲線状の弾性体がティッシュペーパボックスの外周を巻きつける様子を示す模式図である。
【発明を実施するための形態】
【００１２】
以下、本発明の実施の形態を図面に基づいて詳細に説明する。なお、実施の形態を説明するための全図において、同一部には原則として同一の符号を付し、その繰り返しの説明は省略する。
＜全体構成＞
図１は、本発明の実施の形態のティッシュペーパ押上装置１００の構成の一例を示す斜視図である。
【００１３】
図１に示されるように、ティッシュペーパ押上装置１００は、四角形状のティッシュペーパ載置台１０１および四角形状の底板１０２と、これら四角形状のティッシュペーパ載置台１０１および四角形状の底板１０２を上下方向に互いに連結し、ティッシュペーパ載置台１０１をX字状に組み合わせられ昇降可能に支持する脚部（二つの脚（１１０、１２０、１３０、１４０））と、昇降機構と、脚部を係止する横架材（１５０、１５３，１５４）を有する。また、ティッシュペーパ押上装置１００は、ティッシュペーパボックス内に収納可能に構成される。
【００１４】
ティッシュペーパ載置台１０１の形状は長方形である。ティッシュペーパ載置台１０１の大きさは特に限定されないが、長手方向が２２０〜２４５ｍｍとし、短手方向が１１５ｍｍとする。ティッシュペーパ載置台１０１の厚さは特に限定されないが、１〜３ｍｍ程度とする。ティッシュペーパ載置台１０１の材質は、例えばプラスチック材とする。なお、ティッシュペーパ載置台１０１の材質を、木材や、アルミニウムや、鋼材としても良い。
【００１５】
ティッシュペーパ載置台１０１は、四辺に一体成型された側面部材を有する。側面部材は、ティッシュペーパ載置台１０１の天面に対して直行してティッシュペーパ載置台１０１の四辺を囲うように設けられる。側面部材がティッシュペーパ載置台１０１の四辺を囲うように設けられることによって、ティッシュペーパ載置台１０１に載置されたティッシュペーパが落ちることを抑制できる。側面部材は、高さ６〜１０ｍｍ、厚さ１〜３ｍｍである。側面部材のうち長手方向の各部材は２箇所ずつ合計４箇所の穿孔を有する。この４箇所の穿孔のうちの２箇所は、穿孔１１３と穿孔１３３である。穿孔１１３と穿孔１３３は、互いに対抗して、側面部材のうちの長手方向の部材における一端から約１０ｍｍ以上かつ約５０ｍｍ以内の範囲に形成される。また、互いに対向する穿孔１１３と穿孔１３３の形状は略水平方向に形成された角丸長方形であり、その大きさは例えば幅方向に１５ｍｍ〜３５ｍｍであり、高さ方向に１ｍｍ〜３ｍｍ程度である。また、４箇所のうち残りの２箇所の形状は円形であり、その大きさは例えば直径１〜３ｍｍ程度である。なお、側面部材は、ティッシュペーパ載置台１０１の天面に対して上方に直交するよう形成されるだけでなく、下方に直交するよう形成されてもよい。
【００１６】
また、ティッシュペーパ載置台１０１の側面部材のうち１箇所（長手方向の側面部材のいずれか一方）には長方形上の係止板１８０が形成される。係止板１８０は、上記側面部材と一体成型されている。また、係止板１８０は、直径１〜３ｍｍ程度の大きさの穿孔が形成されている。
【００１７】
底板１０２の形状は長方形である。底板１０２の大きさは特に限定されないが、長手方向が２２０〜２４５ｍｍとし、短手方向が１００ｍｍ〜１１５ｍｍである。底板１０２の厚さは特に限定されないが、１〜３ｍｍ程度である。底板１０２の材質は、例えばプラスチック材とする。底板１０２は、ティッシュペーパ載置台１０１と相互に平行かつ対向して設けられる。
【００１８】
底板１０２は、四辺に一体成型された側面部材を有する。側面部材は、高さ６〜１０ｍｍ、厚さ１ｍｍ程度とする。側面部材のうち長手方向の各部材は２箇所ずつ穿孔を有する。そのうちの２箇所（１２３、１４３）の形状は略水平方向に形成された角丸長方形であり、その大きさは例えば３５ｍｍ×３ｍｍ程度である。また、他の２箇所の形状は円形であり、その大きさは例えば直径１〜３ｍｍ程度である。
【００１９】
X字状に組み合わせられティッシュペーパ載置台１０１を昇降可能に支持する一対の脚部（二つの脚）は、部材１１０と、部材１２０と、部材１３０と、部材１４０とによって構成される。部材１１０〜１４０の形状は円柱形である。
より詳細には、一方の脚部は、部材１１０と、部材１２０とが、ティッシュペーパ載置台１０１および底板１０２を上下方向に互いに連結し、部材１１０と、部材１２０とが、X字状に交差することで構成される。
【００２０】
また、他方の脚部は、部材１３０と、部材１４０とが、ティッシュペーパ載置台１０１および底板１０２を上下方向に互いに連結し、部材１３０と、部材１４０とが、X字状に交差することで構成される。
部材１１０〜１４０の大きさは特に限定されないが、底面直径が５ｍｍ程度とし、高さが２００ｍｍ程度とする。部材１１０〜１４０の材質は、例えばプラスチック材とする。なお、部材１１０〜１４０の各部材は、部材の中心と両端付近とに合計３箇所の穿孔を有する。
【００２１】
部材１１０と部材１２０は、それぞれの部材の中心に形成された穿孔にねじ１５２を螺合させることでX字状に組み合わせられる。部材１１０は、部材１２０の外側に位置する。
【００２２】
部材１１０は、下端部付近に形成された穿孔にねじ１１１を螺合させることで、底板１０２の側面部材に形成された円形の穿孔を介して、横架材１５３（後述する）と結合される。部材１１０の上端部は、上端部付近に形成された穿孔にねじ１１２を、ティッシュペーパ載置台１０１の側面部材に形成された穿孔１１３を挟んで外側から螺合させることで、ティッシュペーパ載置台１０１の側面部材に対して略水平方向にスライド可能に接続される。つまり、穿孔１１３は略水平方向に形成された角丸長方形状を呈するものであるから、ねじ１１２が螺合した部材１１０の上端部は、穿孔１１３の形状に合わせて、略水平方向にスライド可能となる。
【００２３】
部材１２０は、上端部付近に形成された穿孔にねじ１２１を螺合させることで、ティッシュペーパ載置台１０１の側面部材に形成された円形の穿孔を介して、横架材１５４（後述する）と結合される。部材１２０の下端部は、下端部付近に形成された穿孔にねじ１２２を、底板１０２の側面部材に形成された穿孔１２３を挟んで外側から螺合させることで、底板１０２の側面部材に対して略水平方向にスライド可能に接続される。つまり、穿孔１２３は略水平方向に形成された角丸長方形状を呈するものであるから、ねじ１２２が螺合した部材１２０の下端部は、穿孔１２３の形状に合わせて、略水平方向にスライド可能となる。
【００２４】
図１に示されるように、穿孔１１３は略水平方向に形成された角丸長方形状であるため、ねじ１１２は水平方向に可動する。同様に、ねじ１２２は水平方向に可動する。他方、ねじ１１１は、螺合する穿孔がねじ１１１の直径とほぼ同じ大きさであるため可動しない。同様に、ねじ１２１は可動しない。また、部材１１０と部材１２０はプラスチック材であるため伸縮しない。これらの特性により、X字状に組み合わせられた部材１１０と部材１２０は、昇降機構の回動作用に追従し、ティッシュペーパ載置台１０１を昇降可能に支持できる。
【００２５】
部材１３０と部材１４０は、それぞれの部材の中心に形成された穿孔にねじ１５１を螺合させることでX字状に組み合わせられる。部材１３０は、部材１４０の外側に位置する。
【００２６】
部材１３０は、下端部付近に形成された一方の穿孔にねじ１３１を螺合させることで、底板１０２の側面部材に形成された円形の穿孔を介して、横架材１５３（後述する）と結合される。部材１３０の上端部は、上端部付近に形成された穿孔にねじ１３２を、ティッシュペーパ載置台１０１の側面部材に形成された穿孔１３３を挟んで外側から螺合させることで、ティッシュペーパ載置台１０１の側面部材に対して略水平方向にスライド可能に接続される。つまり、穿孔１３３は略水平方向に形成された角丸長方形状を呈するものであるから、ねじ１３２が螺合した部材１３０の上端部は、穿孔１３３の形状に合わせて、略水平方向にスライド可能となる。
【００２７】
部材１４０は、上端部付近に形成された穿孔にねじ１４１を螺合させることで、ティッシュペーパ載置台１０１の側面部材に形成された円形の穿孔を介して、横架材１５４（後述する）と結合される。部材１４０の下端部は、下端部付近に形成された穿孔にねじ１４２を、底板１０２の側面部材に形成された穿孔１４３を挟んで外側から螺合させることで、底板１０２の側面部材に対して略水平方向にスライド可能に接続される。つまり、穿孔１４３は略水平方向に形成された角丸長方形状を呈するものであるから、ねじ１４２が螺合した部材１４０の下端部は、穿孔１４３の形状に合わせて、略水平方向にスライド可能となる。
【００２８】
図１に示されるように、穿孔１３３は略水平方向に形成された角丸長方形状であるため、ねじ１３２は水平方向に可動する。同様に、ねじ１４２は水平方向に可動する。他方、ねじ１３１は、螺合する穿孔がねじ１３１の直径とほぼ同じ大きさであるため可動しない。同様に、ねじ１４１は可動しない。また、部材１３０と部材１４０はプラスチック材であるため伸縮しない。これらの特性により、X字状に組み合わせられた部材１３０と部材１４０は、昇降機構の回動作用に追従し、ティッシュペーパ載置台１０１を昇降可能に支持できる。
【００２９】
横架材１５０は、脚部を構成する部材１１０と部材１２０が交差する箇所、及び、部材１３０と部材１４０が交差する箇所を接続する棒状の部材であり、両端部にねじ１５１及びねじ１５２が螺合する孔が形成されている。つまり、部材１１０及び部材１２０の中心に形成された穿孔に螺合されたねじ１５２は、横架材１５０の一端部に形成された孔に螺合し、部材１３０及び部材１４０の中心に形成された穿孔に螺合されたねじ１５１は、横架材１５０の他端部に形成された孔に螺合する。これによって、部材１１０と部材１２０のなす角、及び、部材１３０と部材１４０のなす角は、横架材１５０を枢支軸として可変となる。
【００３０】
横架材１５３は、脚部を構成する部材１１０の端部と部材１３０の端部とを接続する棒状の部材であり、両端部にねじ１１１及びねじ１３１が螺合する孔が形成されている。また、横架材１５３の両端部に形成された孔は、底板１０２の側面部材に形成された円形の穿孔と適合する位置に配置される。つまり、部材１１０の下端部付近に形成された穿孔に螺合されたねじ１１１は、底板１０２の側面部材に形成された円形の穿孔を介して横架材１５３の一端部に形成された孔に螺合し、部材１３０の下端部付近に形成された穿孔に螺合されたねじ１３１は、底板１０２の側面部材に形成された円形の穿孔を介して横架材１５３の他端部に形成された孔に螺合する。これによって、部材１１０及び部材１３０は、横架材１５３を枢支軸として、底板１０２の側面部材に対して回動可能に接続される。
【００３１】
横架材１５４は、脚部を構成する部材１２０の端部と部材１４０の端部とを接続する棒状の部材であり、両端部にねじ１２１及びねじ１４１が螺合する孔が形成されている。また、横架材１５４の両端部に形成された孔は、ティッシュペーパ載置台１０１の側面部材に形成された円形の穿孔と適合する位置に配置される。つまり、部材１２０の上端部付近に形成された穿孔に螺合されたねじ１２１は、ティッシュペーパ載置台１０１の側面部材に形成された円形の穿孔を介して横架材１５４の一端部に形成された孔に螺合し、部材１４０の上端部付近に形成された穿孔に螺合されたねじ１４１は、ティッシュペーパ載置台１０１の側面部材に形成された円形の穿孔を介して横架材１５４の他端部に形成された孔に螺合する。これによって、部材１２０及び部材１４０は、横架材１５４を枢支軸として、ティッシュペーパ載置台１０１の側面部材に対して回動可能に接続される。
【００３２】
横架材１５０、１５３、１５４の存在によって、部材１１０及び部材１２０は、部材１３０及び部材１４０と相互に平行かつ対向する関係に位置する。また、部材１１０及び部材１２０は、部材１３０及び部材１４０と、横架材１５０、１５３、１５４を媒介することで結合される。このように、横架材１５０、１５３、１５４が部材１１０及び部材１２０と部材１３０及び部材１４０との間を媒介することで、部材１１０及び部材１２０は、部材１３０及び部材１４０と一体的に連動できる。
【００３３】
昇降機構は、回転部材１６０と、ボルト２００及びナット１７０によって構成される。回転部材１６０は、角丸長方形状を呈する部材であり、長手方向に角丸長方形状の穿孔１６１を有する。回転部材１６０は、一端が底板１０２の側面部材の１箇所とねじ１３１により螺合し、他端が穿孔１６１を介して係止板１８０とボルト２００及びナット１７０により締着可能に結合する。
【００３４】
回転部材１６０の大きさは特に限定されないが、短辺が１０〜１５ｍｍであり、長辺は１５０ｍｍ程度である。回転部材１６０の厚みは１ｍｍ程度である。回転部材１６０の材質は、例えばアルミ等の金属とする。穿孔１６１の大きさは、短辺が３〜５ｍｍ程度であり、長辺は９０〜１００ｍｍ程度である。
【００３５】
回転部材１６０は、一端に螺合されたねじ１３１を枢支軸として回転することでティッシュペーパ載置台１０１を昇降させる。
＜ボルト及びナットの締着＞
図２は、本発明の実施の形態のティッシュペーパ押上装置１００におけるボルト２００及びナット１７０が締着する様子を示す模式図である。図２（ａ）で示すように、係止板１８０は、穿孔１８１を有する。穿孔１８１の直径は１〜３ｍｍ程度である。
【００３６】
ボルト２００は、おねじ山２０１を有する。ナット１７０は把持部１７１を有する。また、ナット１７０はその内部に、めねじ山１７２を有する。把持部１７１は、ナット１７０と一体成型されている。
【００３７】
図２（ａ）で示すように、ボルト２００は、係止板１８０が有する穿孔１８１に対し、係止板１８０の内側から挿入される。また、ナット１７０の把持部１７１を右方向に転回することで、めねじ山１７２がボルト２００のおねじ山２０１に螺嵌される。
【００３８】
図２（ｂ）で示すように、回転部材１６０は、回転部材１６０が有する穿孔１６１を介して係止板１８０とナット１７０との間に挟まれる。また、穿孔１６１の短辺長さ１６２は、ナット１７０の直径よりも短い。上記特性により、ナット１７０が螺合することで回転部材１６０は、係止板１８０の方向に圧力を受ける。従って、回転部材１６０は上記圧力により固定される。
＜昇降機構による位置決め＞
【００３９】
図３は、本発明の実施の形態のティッシュペーパ押上装置１００におけるティッシュペーパ載置台１０１が昇降する様子を示す模式図である。
【００４０】
図３（ａ）は、押上装置１００のティッシュペーパ載置台１０１の位置が最も高い時の状態を示す。この時の高さＨ（３０１とする）は、ティッシュペーパ載置台１０１の上面から底板１０２の下面までの垂直距離を示す。この時の高さ３０１は、特に限定されないが、９０ｍｍ程度とする。
このとき、ボルト２００及びナット１７０は、穿孔１６１の端部で締着されているため、ねじ１３１とボルト２００及びナット１７０の間の距離は、これ以上大きくなることはない。
【００４１】
図３（ｂ）は、押上装置１００のティッシュペーパ載置台１０１の位置が中間の時の状態を示す。この時の高さｈ（３０２とする）は、ティッシュペーパ載置台１０１の上面から底板１０２の下面までの垂直距離を示す。この時の高さ３０２は、特に限定されないが、２５〜９０ｍｍ程度とする。
【００４２】
図３（ｃ）は、押上装置１００のティッシュペーパ載置台１０１の位置が最も低い時の状態を示す。この時の高さｈ０（３０３とする）は、ティッシュペーパ載置台１０１の上面から底板１０２の下面までの垂直距離を示す。この時の高さ３０３は、特に限定されないが、２５ｍｍ程度とする。なお、ティッシュペーパ載置台１０１の下面から底板１０２の上面までの間隔は０ｍｍである。
【００４３】
図３に示すように、ねじ１３１を枢支軸として回転部材１６０が左回りに回転することにより、ティッシュペーパ載置台１０１は、鉛直方向に上昇する。また、ねじ１３１を枢支軸として回転部材１６０が右回りに回転することにより、ティッシュペーパ載置台１０１は、鉛直方向に下降する。
このとき、脚部を構成する部材は、横架材１５０を枢支軸として相対的に回動すること、横架材１５３及び横架材１５４を枢支軸として底板１０２及びティッシュペーパ載置台１０１に対して回動すること、及び、ねじ１１２、１２２、１３２、１４２が、それぞれ、穿孔１１３、１２３、１３３、１４３をスライド移動することによって、ティッシュペーパ載置台１０１の上下方向の動きに追従する。すなわち、回転部材１６０が右又は左回りに回転する際、X字状に交差する二組の脚部は、横架材１５０を枢支軸として部材同士のなす角が変化する。同時に、横架材１５３を枢支軸として部材１１０、１３０と底板１０２とのなす角が変化し、横架材１５４を枢支軸として部材１２０、１４０とティッシュペーパ載置台１０１とのなす角が変化する。さらに、ねじ１１２、１２２、１３２、１４２が、それぞれ、穿孔１１３、１２３、１３３、１４３をスライド移動することによって、ティッシュペーパ載置台１０１を上下動することができる。
【００４４】
また図２で既述の通り、ナット１７０の把持部１７１を右方向に転回させることでナット１７０が係止板１８０を介してボルト２００と螺合し、回転部材１６０は、所望の位置で固定される。すなわち、回転部材１６０の回転に応じて昇降したティッシュペーパ載置台１０１は、所望の高さｈで固定される。
【００４５】
これにより、ティッシュペーパ載置台１０１が自動で昇降することがなく、利用者は、所望の高さでティッシュペーパ載置台１０１の位置を保持できる。
＜ティッシュペーパボックス＞
図４は、本発明の実施の形態のティッシュペーパ押上装置１００とティッシュペーパボックス４００との関係を示す模式図である。
【００４６】
図４（ａ）は、ティッシュペーパボックス４００にティッシュペーパ押上装置１００が挿入されていない状態を示す。図４（ａ）で示されるように、ティッシュペーパボックス４００の内部には、ティッシュペーパ４１０が封入されている。また、ティッシュペーパボックス４００は、その上面からティッシュペーパ４１０の上面までの間隔ｄを有する。
【００４７】
図４（ｂ）は、ティッシュペーパボックス４００にティッシュペーパ押上装置１００が挿入されている状態を示す。図４（ｂ）で示されるように、ティッシュペーパボックス４００の内部には、ティッシュペーパ４１０がティッシュペーパ押上装置１００の上部に封入されている。また、ティッシュペーパボックス４００は、その上面からティッシュペーパ４１０の上面までの間隔をほぼ有さない。
【００４８】
すなわち、ティッシュペーパ押上装置１００の高さｈを間隔ｄと同じ程度の高さに設定することで、ティッシュペーパボックス４００は、その上面からティッシュペーパ４１０の上面までの間隔をほぼ有さない状態にできる。これにより、利用者は、ティッシュペーパを容易に取り出すことができる。
【００４９】
図５は、本発明の実施の形態のティッシュペーパ押上装置１００がティッシュペーパボックス４００に挿入される様子を示す模式図である。
【００５０】
図５（ａ）は、ティッシュペーパボックス４００にティッシュペーパ押上装置１００が挿入されていない状態を示す。図５（ａ）で示されるように、ティッシュペーパボックス４００の内部には、ティッシュペーパ４１０が封入されている。
【００５１】
図５（ｂ）は、ティッシュペーパボックス４００にティッシュペーパ押上装置１００が挿入される時の状態を示す。図５（ｂ）で示されるように、ティッシュペーパボックス４００は、その側面の短辺方向に開口部５００を上下に有する。
【００５２】
ティッシュペーパ押上装置１００は、開口部５００を開いた状態でティッシュペーパ４１０の下側に挿入される。
【００５３】
図５（ｃ）は、ティッシュペーパボックス４００にティッシュペーパ押上装置１００が挿入されている状態を示す。図５（ｃ）で示されるように、ティッシュペーパボックス４００の内部には、ティッシュペーパ４１０がティッシュペーパ押上装置１００の上部に封入されている。また、開口部５００は、ティッシュペーパ押上装置１００を挿入した後に閉じる。
＜弾性体＞
図６は、本発明の実施の形態のティッシュペーパ押上システムにおける閉曲線状の弾性体６００の様子を示す模式図である。
【００５４】
ティッシュペーパ押上システムは、ティッシュペーパ押上装置１００と、閉曲線状の弾性体６００とを有する。弾性体６００は、４箇所の補強部材６１０を含む。
【００５５】
弾性体６００の形状は、円形状の閉曲線である。弾性体６００の大きさは、特に限定されないが、幅が５〜１０ｍｍ程度で、円形状全体が半径１００ｍｍ程度である。すなわち、弾性体６００の円形状全体の大きさは、周長６００〜６５０ｍｍ程度である。弾性体６００の素材は、ゴム等の伸縮性を有する素材である。
【００５６】
補強部材６１０の形状は、特に限定されないが、例えば長方形である。補強部材６１０の大きさは、例えば１０ｍｍ×３０ｍｍ程度である。
【００５７】
図７は、本発明の実施の形態のティッシュペーパ押上システムにおける閉曲線状の弾性体６００がティッシュペーパボックスの外周を巻きつける様子を示す模式図である。
【００５８】
弾性体６００は、ティッシュペーパ押上装置１００を挿入したティッシュペーパボックス４００の外周を巻き付けてティッシュペーパボックス４００の開口部５００の開口を防止する。すなわち、弾性体６００は、ティッシュペーパボックス４００の外周を巻き付けることで、ティッシュペーパボックス４００の開口部５００が外側から押さえつけられるため、開口を防止できる。また、これにより、ティッシュペーパ押上装置１００は、ティッシュペーパボックス４００の内部から滑落することを防止できる。
【００５９】
補強部材６１０は、短辺の中心線がティッシュペーパボックス４００の隅と一致するような位置に配置される。これにより、弾性体６００は、ティッシュペーパボックス４００の外周に巻き付ける際に４隅に対し発生する応力集中を分散できる。すなわち、弾性体６００は、ティッシュペーパボックス４００の外周を巻き付ける際、弾性体６００が老朽化しにくくなりより長期間の継続使用が可能となる。
＜本実施の形態の効果＞
以上説明した本発明の実施の形態によれば、回転部材６００の一端を枢支軸として回転させることで載置台１０１を昇降させ、ボルト２００及びナット１７０の締着により押上高さを所望の位置で保持可能なティッシュペーパ押上装置１００を提供できる。
【００６０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６１】
また、上記した実施の形態は本発明を分かりやすく説明するために詳細に説明したものであり、必ずしも説明した全ての構成を有するものに限定されるものではない。例えば、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換を行ってもよい。
【符号の説明】
【００６２】
１００…ティッシュペーパ押上装置
１０１…ティッシュペーパ載置台
１０２…底板
１１０…脚
１１１…ねじ
１１３…穿孔
１５０…横架材
１５１…ねじ
１６０…回転部材
１７０…ナット
１７２…めねじ山
１８０…係止板
２００…ボルト
２０１…おねじ山
４００…ティッシュペーパボックス
６００…弾性体
【要約】
【課題】回転部材の一端を枢支軸として回転させることで載置台を昇降させ、ボルト及びナットの締着により押上高さを所望の位置で保持可能なティッシュペーパ押上装置を提供する。
【解決手段】ティッシュペーパボックス内に収納可能に構成され、ティッシュペーパ載置台と、底板と、X字状に組み合わせられティッシュペーパ載置台を昇降可能に支持する脚部と、昇降機構と、脚部を係止する横架材を有したティッシュペーパ押上装置であって、前記ティッシュペーパ載置台は、側面に一体成形された係止板を有し、前記昇降機構は、回転部材とボルト及びナットを有し、前記回転部材は、角丸長方形状の穿孔を有し、前記回転部材は、部材の一端が前記底板の側面の１箇所とねじにより螺合し、前記回転部材は、部材の他端が前記穿孔を介して前記係止板と前記ボルト及びナットにより締着可能に結合し、前記回転部材は、部材の一端を中心に回転することで前記ティッシュペーパ載置台を昇降させる、ティッシュペーパ押上装置。
【選択図】図１【図１】
0006667823.tif 000002
【図２】
0006667823.tif 000003
【図３】
0006667823.tif 000004
【図４】
0006667823.tif 000005
【図５】
0006667823.tif 000006
【図６】
0006667823.tif 000007
【図７】
0006667823.tif 000008